(57)【特許請求の範囲】
【請求項１】
プラグコネクタとレセプタクルコネクタとが着脱自在に嵌合する電気コネクタであって、
相手物であるレセプラクルコンタクトと接触する第１接触部とブロックに保持される第１固定部と基板に接続される第１接続部とを有するとともに幅方向両側に対向するように配置される複数のプラグコンタクトと該プラグコンタクトが保持・配列されるブロックとを有する前記プラグコネクタと、
前記プラグコンタクトと接触する第２接触部とハウジングに保持される第２固定部と基板に接続される第２接続部とを有するとともに幅方向両側に対向するように配置される複数のレセプタクルコンタクトと該レセプタクルコンタクトが保持・配列されるとともに前記プラグコネクタが入る嵌合口が設けられたハウジングとを有する前記レセプタクルコネクタとを備え、
前記ブロックの長手方向両側には前記プラグコンタクトの上面より高い突出壁が形成されるとともに対向する前記プラグコンタクト間には前記レセプタクルコネクタと係合する係止凹部が設けられ、
前記ハウジングには前記係止凹部と係合する係合凸部が設けられ、長手方向両側には凸部壁が形成されるとともに前記突出壁が入る係合溝が長手方向両側に設けられる電気コネクタにおいて、
前記プラグコンタクトの第１接触部には前記レセプタクルコンタクトの第２接触部が入る凹部を設け、
長手ピッチ方向の両端側で、かつ、電気コネクタの中心に対して対称の少なくとも互いに向き合う４本のレセプタクルコンタクトを、前記凹部に係合接触する係合接触部を有する第２レセプタクルコンタクトとし、
前記第２レセプタクルコンタクトの係合接触部を、抜き加工により凸部形状にし、前記レセプタクルコンタクトの第２接触部を、曲げ加工により湾曲形状にし、
前記第２レセプタクルコンタクトの係合接触部が前記プラグコンタクトの凹部に入ることにより係合接触することで互いの両コネクタの抜去力を高め、かつ、電気的接続を得ることを特徴とする電気コネクタ。
【請求項２】
前記レセプタクルコンタクトの第２接触部と第２固定部の間及び前記第２レセプタクルコンタクトの係合接触部と第２固定部の間に、少なくとも１回以上蛇行する弾性部を設けることを特徴とする請求項１記載の電気コネクタ。
【請求項３】
長手方向の前記レセプタクルコンタクト間及び前記レセプタクルコンタクトと前記第２レセプタクルコンタクトとの間には、前記レセプタクルコンタクト及び前記第２レセプタクルコンタクトの弾性部上面より高い側壁Ａと該側壁Ａに連設するとともに前記レセプタクルコンタクトの接触部上面及び前記第２レセプタクルコンタクトの係合接触部上面より高い側壁Ｂとが設けられ、前記凸部壁の高さは前記レセプタクルコンタクト及び前記第２レセプタクルコンタクトの弾性部上面より高くし、
前記プラグコネクタと前記レセプタクルコネクタとが嵌合する際に、完全に嵌合するまでは前記プラグコンタクトと前記レセプタクルコンタクトとが接触しないようにすることを特徴とする請求項１又は２記載の電気コネクタ。
【請求項４】
芯数が２０芯以下の場合に前記第２レセプタクルコンタクトを使用することを特徴とする請求項１，２又は３記載の電気コネクタ。
【請求項５】
前記係合接触部は、ロック機構にのみ使用することを特徴とする請求項１，２，３又は４記載の電気コネクタ。
【発明の詳細な説明】
【技術分野】
【０００１】
本発明は、携帯電話等の電気・電子機器に使用されるプラグコネクタとレセプタクルコネクタとを備える電気コネクタに関するもので、特に少芯数のプラグコネクタとレセプタクルコネクタとが互いに嵌合した時に十分なコネクタ同士の抜去力が得られ、斜め嵌合されてもそれぞれのコンタクトが破損することのなく、低背可能な構造に関するものである。
【背景技術】
【０００２】
一般的に基板と基板とを接続する場合には、２つのコネクタ（例えば、プラグコネクタとレセプタクルコネクタ）が使用されている。２つの前記コネクタは、主に複数のコンタクト（例えば、プラグコンタクトとレセプタクルコンタクト）と該コンタクトを保持・配列する電気絶縁性の材料よりなる絶縁体（例えば、ブロックとハウジング）とを備えている。２つの前記コネクタは基板に半田付け等により接続している。前記コネクタのうち一方のコネクタのコンタクトは絶縁体から露出しており、嵌合の仕方によってはコンタクトが変形することがある。
本出願人は、斜め嵌合時のコンタクト変形防止構造のコネクタとして、特許文献１（実開平５−６９８７３号）を以前に提案し、さらに、特許文献２（特願２００５−３４７９７３）も以前に提案している。
【特許文献１】実開平５−６９８７３号の要約によると、従来の角形多極コネクタは、プラグのブロックがソケットの囲いの中に嵌まり込むようになっており、そのため、誤ってプラグを斜めに挿入して、コンタクトを変形させることがあり、この課題を解決することを目的とし、ソケットのブロック５０をほぼ四角ブロック状にし、その両端に張り５２，５３を設け、５３の厚みｄ＞５２の厚みｃとし、またプラグの囲いを２枚の板状のもの２０，２１で構成し、片方の２０は、ブロック５０の張り５２の間に納まる長さ、他方の２１は張り５３の間に納まる長さとし、囲い２０，２１の間隔ｂは、ブロック５０の張り５２，５３を除いた部分がほぼピッタリと嵌まり込める程度にした結果、ブロック５０の幅ａ＞囲い２０〜２１の間隔ｂなので、ブロック５０を斜めに挿入できなく、囲い２０，２１の長さが違うので誤接続の心配がないといったコネクタが開示されている。ちなみに、実開平５−６９８７３号の実用新案登録請求の範囲には、複数本のコンタクトを保持・固定したベースに前記コンタクトの保護用の囲いを設けたプラグ側コネクタと、複数本のコンタクトを保持・固定したベースに前記コンタクトを収容する孔を設けたブロックを設けたソケット側コネクタとからなる一組のコネクタであって、前記ソケット側コネクタのブロックの長手方向端部の左右には、左右厚味の異なる張りが設けられており、前記プラグ側コネクタの囲いが、前記ソケット側ブロックの両端に設けられた張りの厚み寸法に合せた長さである、コネクタが開示されている。
【特許文献２】特願２００５−３４７９７３の要約によると、電気コネクタの低背化も図り、斜め嵌合も防止できる電気コネクタの提供することを目的とし、プラグ２０はコンタクト２４とブロック２２を備え、コンタクト２４は幅方向両側に対向するように配置され、ブロック２２の長手方向両側にはコンタクト２４の上面３８より高い突出壁３２が形成され、コンタクト２４間にはレセプタクル５０と係止する係止凹部３４が設けられ、レセプタクル５０はコンタクト５４とハウジング５２を備え、コンタクト５４は幅方向両側に対向するように配置され、ハウジング５２には係止凹部３４と係合する係合凸部６４が設けられ、長手方向両側には凸部壁６８と突出壁３２が入る係合溝６６が設けられ、長手方向のコンタクト５４間には弾性部上面７０より高い側壁Ａ６９と側壁Ａ６９に連設すると共に接触部上面７３より高い側壁Ｂ７１とが設けられ、凸部壁６８の高さはコンタクト５４の弾性部上面７０より高くする構造の電気コネクタが開示されている。  ちなみに、特願２００５−３４７９７３の特許請求の範囲には、請求項１として、プラグコネクタとレセプタクルコネクタとが着脱自在に嵌合する電気コネクタにおいて、前記プラグコネクタはレセプラクルコンタクトと接触する接触部とブロックに保持される固定部と基板に接続される接続部とを有する複数のプラグコンタクトと該プラグコンタクトが保持・配列されるブロックとを備え、前記プラグコンタクトは幅方向両側に対向するように配置され、前記ブロックの長手方向両側には前記プラグコンタクトの上面より高い突出壁が形成されるとともに対向する前記プラグコンタクト間には前記レセプタクルコネクタと係合する係止凹部が設けられ、前記レセプタクルコネクタは前記プラグコンタクトと接触する接触する接触部と弾性部とハウジングに保持される固定部と基板に接続される接続部とを有する複数のレセプタクルコンタクトと該レセプタクルコンタクトが保持・配列されるハウジングとを備え、前記レセプタクルコンタクトは幅方向両側に対向するように配置され、前記ハウジングには前記係止凹部と係合する係合凸部が設けられ、長手方向両側には凸部壁が形成されるとともに前記突出壁が入る係合溝が長手方向両側に設けられ、長手方向の前記レセプタクルコンタクト間には該レセプタクルコンタクトの弾性部上面より高い側壁Ａと該側壁Ａに連設すると共に前記レセプタクルコンタクトの接触部上面より高い側壁Ｂとが設けられ、前記凸部壁の高さは前記レセプタクルコンタクトの弾性部上面より高くし、前記プラグコネクタと前記レセプタクルコネクタとが嵌合する際に、完全に嵌合するまでは前記プラグコンタクトと前記レセプタクルコンタクトとが接触しないようにすることを特徴とする電気コネクタ、請求項２として、前記プラグコネクタと前記レセプタクルコネクタとが斜め挿入された場合は前記プラグコネクタの前記突出壁と前記レセプタクルコネクタの前記凸部壁及び側壁Ａ若しくは前記係合凸部及び前記側壁Ｂとが接することで、誤嵌合防止や前記ブロックが前記レセプタクルコンタクトに接することがないようにし又前記ハウジングが前記プラグコンタクトに接することがないようにし前記プラグコンタクト及び前記レセプ���クルコンタクトを変形させないことを特徴とする請求項１記載の電気コネクタ、請求項３として、前記突出壁の高さを前記プラグコンタクトの上面より０．１〜０．３ｍｍ高くし、該凸部壁と側壁Ａの高さを前記レセプタクルコンタクトの弾性部上面より０．０２〜０．１ｍｍ高くし、前記側壁Ｂの高さを前記レセプタクルコンタクトの接触部上面より０．０２〜０．１ｍｍ高くし、前記係合凸部の高さと前記レセプタクルコンタクトの接触部上面の高さとの関係は−０．２〜０．３ｍｍにすることを特徴とする請求項１または２記載の電気コネクタ、請求項４として、前記プラグコネクタの前記ブロックには長手方向両側で幅方向両側に係合部を設け、前記レセプタクルコネクタの前記ハウジングには前記係合溝内の幅方向両側に前記係合部と係合する凹部を設け、嵌合した際に前記係合部が前記凹部に入ることでクリック感を持たせることを特徴とする請求項１から３項のうちいずれか１項記載の電気コネクタ等が開示されている。
【発明の開示】
【発明が解決しようとする課題】
【０００３】
近年、電気コネクタの小型化が進む中、少芯数化も進んできている。芯数が２０芯以下の場合、１００〜３００ｇｆ程度の抜去力で抜けてしまうと言った課題があった。特許文献１や特許文献２に示した構造では、一般的に、コネクタ同士の抜去力はコンタクト１本当たりの抜去力掛ける芯数によって決まる。つまり、２０芯の場合は、１５（ｇｆ／１本）X２０（本）＝３００（ｇｆ）になる。
【０００４】
本発明は、このような従来の問題点に鑑みてなされたもので、少芯数でも十分な保持力を確保でき、安定した接続を得ることができる電気コネクタを提供せんとするものである。
【課題を解決するための手段】
【０００５】
上記目的は、請求項１記載のように、プラグコネクタ２０とレセプタクルコネクタ５０とが着脱自在に嵌合する電気コネクタ１０であって、相手物であるレセプラクルコンタクト５４と接触する第１接触部２６とブロック２２に保持される第１固定部２８と基板に接続される第１接続部３０とを有するとともに幅方向両側に対向するように配置される複数のプラグコンタクト２４と該プラグコンタクト２４が保持・配列されるブロック２２とを有する前記プラグコネクタ２０と、前記プラグコンタクト２４と接触する第２接触部５６とハウジング５２に保持される第２固定部５８と基板に接続される第２接続部６０とを有するとともに幅方向両側に対向するように配置される複数のレセプタクルコンタクト５４と該レセプタクルコンタクト５４が保持・配列されるとともに前記プラグコネクタ２０が入る嵌合口１２が設けられたハウジング５２とを有する前記レセプタクルコネクタ５０とを備え、前記ブロック２２の長手方向両側には前記プラグコンタクト２４の上面３８より高い突出壁３２が形成されるとともに対向する前記プラグコンタクト２４間には前記レセプタクルコネクタ５０と係合する係止凹部３４が設けられ、前記ハウジング５２には前記係止凹部３４と係合する係合凸部６４が設けられ、長手方向両側には凸部壁６８が形成されるとともに前記突出壁３２が入る係合溝６６が長手方向両側に設けられる電気コネクタ１０において、前記プラグコンタクト２４の第１接触部２６には前記レセプタクルコンタクト５４の第２接触部５６が入る凹部３６を設け、長手ピッチ方向の両端側で、かつ、電気コネクタ１０の中心に対して対称の少なくとも互いに向き合う４本のレセプタクルコンタクト５４を、前記凹部３６に係合接触する係合接触部８０を有する第２レセプタクルコンタクト５５とし、前記第２レセプタクルコンタクト５５の係合接触部８０を、抜き加工により凸部形状にし、前記レセプタクルコンタクト５４の第２接触部５６を、曲げ加工により湾曲形状にし、前記第２レセプタクルコンタクト５５の係合接触部８０が前記プラグコンタクト２４の凹部３６に入ることにより係合接触することで互いの両コネクタ２０、５０の抜去力を高め、かつ、電気的接続を得ることを特徴とする電気コネクタ１０により達成できる。
【０００６】
請求項２記載の電気コネクタ１０は、前記レセプタクルコンタクト５４の第２接触部５６と第２固定部５８の間及び前記第２レセプタクルコンタクト５４の係合接触部８０と第２固定部５８の間に、少なくとも１回以上蛇行する弾性部６２を設けることを特徴とする請求項１記載の電気コネクタ１０にある。
【０００７】
請求項３記載の電気コネクタ１０は、長手方向の前記レセプタクルコンタクト５４間及び前記レセプタクルコンタクト５４と前記第２レセプタクルコンタクト５５との間には、前記レセプタクルコンタクト５４及び前記第２レセプタクルコンタクト５５の弾性部上面７０より高い側壁Ａ６９と該側壁Ａ６９に連設するとともに前記レセプタクルコンタクト５４の接触部上面７３及び前記第２レセプタクルコンタクト５５の係合接触部上面８２より高い側壁Ｂ７１とが設けられ、前記凸部壁６８の高さは前記レセプタクルコンタクト５４及び前記第２レセプタクルコンタクト５５の弾性部上面７０より高くし、前記プラグコネクタ２０と前記レセプタクルコネクタ５０とが嵌合する際に、完全に嵌合するまでは前記プラグコンタクト２４と前記レセプタクルコンタクト５４とが接触しないようにすることを特徴とする請求項１又は２記載の電気コネクタ１０にある。
また、請求項４記載の電気コネクタ１０は、芯数が２０芯以下の場合に前記第２レセプタクルコンタクト５５を使用することを特徴とする請求項１，２又は３記載の電気コネクタ１０にある。
さらに、請求項５記載の電気コネクタ１０は、前記係合接触部８０は、ロック機構にのみ使用することを特徴とする請求項１，２，３又は４記載の電気コネクタ１０にある。
前記プラグコネクタ２０と前記レセプタクルコネクタ５０とが斜め挿入された場合は前記プラグコネクタ２０の前記突出壁３２と前記レセプタクルコネクタ５０の前記凸部壁６８及び側壁Ａ６９若しくは前記係合凸部６４及び前記側壁Ｂ７１とが接することで、誤嵌合防止や前記ブロック２２が前記レセプタクルコンタクト５４に接することがないようにし又前記ハウジング５２が前記プラグコンタクト２４に接することがないようにし前記プラグコンタクト２４及び前記レセプタクルコンタクト５４を変形させないようにする。
【発明の効果】
【０００８】
以上の説明から明らかなように、本発明の電気コネクタ１０によると、次のような優れた効果が得られる。
（１）請求項１記載のように、プラグコネクタ２０とレセプタクルコネクタ５０とが着脱自在に嵌合する電気コネクタ１０であって、相手物であるレセプラクルコンタクト５４と接触する第１接触部２６とブロック２２に保持される第１固定部２８と基板に接続される第１接続部３０とを有するとともに幅方向両側に対向するように配置される複数のプラグコンタクト２４と該プラグコンタクト２４が保持・配列されるブロック２２とを有する前記プラグコネクタ２０と、前記プラグコンタクト２４と接触する第２接触部５６とハウジング５２に保持される第２固定部５８と基板に接続される第２接続部６０とを有するとともに幅方向両側に対向するように配置される複数のレセプタクルコンタクト５４と該レセプタクルコンタクト５４が保持・配列されるとともに前記プラグコネクタ２０が入る嵌合口１２が設けられたハウジング５２とを有する前記レセプタクルコネクタ５０とを備え、前記ブロック２２の長手方向両側には前記プラグコンタクト２４の上面３８より高い突出壁３２が形成されるとともに対向する前記プラグコンタクト２４間には前記レセプタクルコネクタ５０と係合する係止凹部３４が設けられ、前記ハウジング５２には前記係止凹部３４と係合する係合凸部６４が設けられ、長手方向両側には凸部壁６８が形成されるとともに前記突出壁３２が入る係合溝６６が長手方向両側に設けられる芯数が２０芯以下の電気コネクタ１０において、前記プラグコンタクト２４の第１接触部２６には前記レセプタクルコンタクト５４の第２接触部５６が入る凹部３６を設け、長手ピッチ方向の両端側で、かつ、電気コネクタ１０の中心に対して対称の少なくとも互いに向き合う４本のレセプタクルコンタクト５４を、前記凹部３６に係合接触する係合接触部８０を有する第２レセプタクルコンタクト５５とし、前記第２レセプタクルコンタクト５５の係合接触部８０を、抜き加工により凸部形状にし、前記レセプタクルコンタクト５４の第２接触部５６を、曲げ加工により湾曲形状にし、前記第２レセプタクルコンタクト５５の係合接触部８０が前記プラグコンタクト２４の凹部３６に入ることにより係合接触することで互いの両コネクタ２０、５０の抜去力を高め、かつ、電気的接続を得ることを特徴とする電気コネクタ１０にしているので、電気コネクタ１０が傾くことがなく、芯数が２０芯でも５００ｇｆ以上のコネクタ同士の抜去力を得ることができ、嵌合した際に前記係合接触部８０が前記凹部３６に入ることでクリック感を持たせることができ、安定した接続を得ることができる。
（２）請求項２記載の電気コネクタ１０は、前記レセプタクルコンタクト５４の第２接触部５６と第２固定部５８の間及び前記第２レセプタクルコンタクト５４の係合接触部８０と第２固定部５８の間に、少なくとも１回以上蛇行する弾性部６２を設けることを特徴とする請求項１、２または３記載の電気コネクタ１０にしているので、芯数が２０芯でも５００ｇｆ以上のコネクタ同士の抜去力を得ることができ、嵌合した際に前記係合接触部８０が前記凹部３６に入ることでクリック感を持たせることができ、安定した接続を得ることができる。
（３）請求項３記載の電気コネクタ１０は、長手方向の前記レセプタクルコンタクト５４間及び前記レセプタクルコンタクト５４と前記第２レセプタクルコンタクト５５との間には、前記レセプタクルコンタクト５４及び前記第２レセプタクルコンタクト５５の弾性部上面７０より高い側壁Ａ６９と該側壁Ａ６９に連設するとともに前記レセプタクルコンタクト５４の接触部上面７３及び前記第２レセプタクルコンタクト５５の係合接触部上面８２より高い側壁Ｂ７１とが設けられ、前記凸部壁６８の高さは前記レセプタクルコンタクト５４及び前記第２レセプタクルコンタクト５５の弾性部上面７０より高くし、前記プラグコネクタ２０と前記レセプタクルコネクタ５０とが嵌合する際に、完全に嵌合するまでは前記プラグコンタクト２４と前記レセプタクルコンタクト５４とが接触しないようにすることを特徴とする請求項１、２または３、４記載の電気コネクタ１０にしているので、芯数が２０芯でも５００ｇｆ以上のコネクタ同士の抜去力を得ることができ、嵌合時の電気コネクタ１０を１．０ｍｍ以下にすることができ、嵌合した際に前記係合接触部８０が前記凹部３６に入ることでクリック感を持たせることができ、嵌合も防止することができ、両方のコンタクト２４、５４の変形がなく、安定した接続を得ることができる。
（４）請求項４記載の電気コネクタ１０は、芯数が２０芯以下の場合に前記第２レセプタクルコンタクト５５を使用することを特徴とする請求項１から５項のうちいずれか１項記載の電気コネクタ１０にしているので、芯数が２０芯でも５００ｇｆ以上のコネクタ同士の抜去力を得ることができ、嵌合した際に前記係合接触部８０が前記凹部３６に入ることでクリック感を持たせることができ、安定した接続を得ることができる。
（５）請求項５記載の電気コネクタ１０は、前記係合接触部８０は、ロック機構にのみ使用することを特徴とする請求項１から５項のうちいずれか１項記載の電気コネクタ１０にしているので、芯数が２０芯でも５００ｇｆ以上のコネクタ同士の抜去力を得ることができ、嵌合した際に前記係合接触部８０が前記凹部３６に入ることでクリック感を持たせることができ、安定した接続を得ることができる。
【発明を実施するための最良の形態】
【０００９】
図１から図５に基づいて、本発明の電気コネクタ１０の一実施例について説明する。図１（Ａ）は嵌合口側からみた本発明のレセプタクルコネクタの斜視図であり、（Ｂ）は嵌合側からみた本発明のプラグコネクタの斜視図である。図２（Ａ）はプラグコネクタとレセプタクルコネクタが嵌合した状態のある第２レセプタクルコンタクト部分で断面した断面図であり、（Ｂ）はプラグコネクタとレセプタクルコネクタが嵌合した状態のあるレセプタクルコンタクト部分で断面した断面図である。図３（Ａ）はレセプタクルコネクタを、ある第２レセプタクルコンタクト部分で断面した断面図であり、（Ｂ）はレセプタクルコネクタを、レセプタクルコンタクト部分で断面した断面図であり、（Ｃ）はプラグコネクタを、あるプラグコンタクト部分で断面した断面図である。図４（A）は第２レセプタクルコンタクトの斜視図であり、（Ｂ）はレセプタクルコンタクトの斜視図であり、（C）はプラグコンタクトの斜視図である。図５（Ａ）はレセプタクルコネクタのハウジングの斜視図であるり、（Ｂ）はプラグコネクタのブロックの斜視図である。
本発明の電気コネクタ１０はプラグコネクタ２０とレセプタクルコネクタ５０とを備え、プラグコネクタ２０は少なくともブロック２２とプラグコンタクト２４とを有し、レセプタクルコネクタ５０は少なくともハウジング５２とレセプタクルコンタクト５４と第２レセプタクルコンタクト５５とを有している。
【００１０】
従来技術で説明したように、プラグコネクタ２０とレセプタクルコネクタ５０とをそれぞれの基板に半田付けし、前記プラグコネクタ２０と前記レセプタクルコネクタ５０とを嵌合させることで、それぞれの基板が電気的に接続された状態になり、基板間同士の信号のやり取りを行なっている。
【００１１】
図に基づいて本発明のプラグコネクタ２０とレセプタクルコネクタ５０の各々の構成部品について説明する。
まず、前記プラグコネクタ２０の部品について説明することにし、最初にプラグコンタクト２４について説明する。このプラグコンタクト２４は金属製であり、公知技術のプレス加工によって製作されている。前記プラグコンタクト２４の材質としては、バネ性や導電性などが要求されるので、黄銅やベリリウム銅やリン青銅等を挙げることができる。
【００１２】
前記プラグコンタクト２４は、図４（Ｃ）のように断面略箱型形状をしている。前記プラグコンタクト２４は一方端に前記レセプタクルコンタクト５４と接触する第１接触部２６と前記ブロック２２に固定する第１固定部２８ともう一方端に基板に接続する第１接続部３０とを有している。前記プラグコンタクト２４は前記ブロック２２の幅方向両側に対向するように配置されている。前記プラグコンタクト２４は前記ブロック２２に圧入や一体成型や溶着等によって固定され、本実施例では一体成型によって固定している。前記第１接続部３０は、本実施例では表面実装タイプ（ＳＭＴ）にしているが、ディップタイプでも良い。前記第１接触部２６には凹部３６を設け、前記プラグコネクタ２０と前記レセプタクルコネクタ５０とが嵌合する際にクリック感を持たせると同時に接触性を高める構造にしてよい。
【００１３】
次に、ブロック２２について説明する。このブロック２２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１４】
図５（Ｂ）のように、前記ブロック２２の長手方向両側には前記プラグコンタクト２４の上面３８より高い突出壁３２が形成される。前記突出壁３２の高さは、コネクタの低背化や斜め嵌合防止を考慮して適宜設計している。斜め嵌合防止構造については全ての部品の説明を終了した時点で説明する。前記突出壁３２の高さは、前記プラグコンタクト２４の上面３８より０．１〜０．２ｍｍ高くしている。前記プラグコンタクト２４の上面３８より前記突出壁３２の高さが０．１ｍｍ以下では斜め嵌合を防止することができなく、前記プラグコンタクト２４の上面３８より前記突出壁３２の高さが０．２ｍｍ以上では嵌合時の電気コネクタ１０の低背化に繋がらない。
【００１５】
前記ブロック２２には、対向する前記プラグコンタクト２４間に前記レセプタクルコネクタ５０と係止する係止凹部３４が設けられている。該係止凹部３４に、前記レセプタクルコネクタ５０の係合凸部６４が入る。前記係止凹部３４の大きさは、前記係合凸部６４が入ればよく、コネクタの小型化や接触安定性を考慮して適宜設計している。
前記ブロック２２の長手方向両側には、図５（Ｂ）のようにリブ４０が設けられている。このリブ４０は前記レセプタクルコネクタ５０と嵌合した際に前記プラグコンタクト２４と前記レセプタクルコンタクト５４とが確実に接触するための位置決めと嵌合保持力を高めるもので、本実施例では前記プラグコネクタ２０と前記レセプタクルコネクタ５０とが嵌合した際に軽圧入になるようにしている。また、前記ブロック２２には、長手方向両側で幅方向両側に係合部４２が設けられている。該係合部４２は前記プラグコネクタ２０と前記レセプタクルコネクタ５０とが嵌合した際の保持力をアップさせるものである。さらに、前記係止凹部の底面には、前記ブロック２２の強度アップと成型時の流動性を良くするように、サン部が設けられている。
【００１６】
次に、前記レセプタクルコネクタ５０の部品について説明することにし、最初にレセプタクルコンタクト５４について説明する。このレセプタクルコンタクト５４は金属製であり、公知技術のプレス加工によって製作されている。前記レセプタクルコンタクト５４の材質としては、バネ性や導電性などが要求されるので、黄銅やベリリウム銅やリン青銅等を挙げることができる。
【００１７】
図４（Ｂ）のように、前記レセプタクルコンタクト５４は断面略逆Ｗ形状をしており、一方端に前記プラグコンタクト２４と接触する第２接触部５６ともう一端に基板に接続する第２接続部６０とを有している。前記第２接触部５６と前記第２接続部６０との間には弾性部６２と前記ハウジング５２に固定する第２固定部５８とを更に有し、一方端から第２接触部５６、弾性部６２、第２固定部５８、第２接続部６０の順に配列されている。前記レセプタクルコンタクト５４は前記ハウジング５２の幅方向両側に対向するように配置されている。前記レセプタクルコンタクト５４は前記ハウジング５２に圧入や溶着等によって固定され、本実施例では圧入によって固定している。前記第２接続部６０は、本実施例では表面実装タイプ（ＳＭＴ）にしているが、ディップタイプでも良い。
【００１８】
前記レセプタクルコンタクト５４の第２接触部５６は、前記プラグコンタクト２４の凹部３６に入り易いように湾曲形状にしている。前記レセプタクルコンタクト５４の湾曲形状は曲げ加工によって形成されている。
また、前記第２接触部５６と前記第２固定部５８との間には、嵌合時の安定した接触が得られるように弾性長を確保するために弾性部６２が設けられている。前記弾性部６２はこのような役割を満足するように適宜設計しており、本実施例では１回湾曲させている。
【００１９】
次に、前記第２レセプタクルコンタクト５５について説明する。この第２レセプタクルコンタクト５５は金属製であり、公知技術のプレス加工によって製作されている。前記第２レセプタクルコンタクト５５の材質としては、バネ性や導電性などが要求されるので、黄銅やベリリウム銅やリン青銅等を挙げることができる。
【００２０】
前記第２レセプタクルコンタクト５５は、長手ピッチ方向の両端側で、かつ、電気コネクタ１０の中心に対して対称の少なくとも２本の前記レセプタクルコンタクト５４に代えたものである。本実施例では、保持力とバランスを考慮して、長手ピッチ方向の両端側に互いに向き合うように４本配置した。
【００２１】
図４（Ｂ）のように、前記第２レセプタクルコンタクト５５は断面略逆Ｗ形状をしており、一方端に前記プラグコンタクト２４の凹部３６と係合接触する係合接触部８０ともう一端に基板に接続する第２接続部６０とを有している。前記係合接触部８０と前記第２接続部６０との間には弾性部６２と前記ハウジング５２に固定する第２固定部５８とを更に有し、一方端から係合接触部８０、弾性部６２、第２固定部５８、第２接続部６０の順に配列されている。本実施例では、前記第２レセプタクルコンタクト５５は前記ハウジング５２の長手ピッチ方向の幅方向両側に対向するように配置されている。前記第２レセプタクルコンタクト５５は前記ハウジング５２に圧入や溶着等によって固定され、本実施例では圧入によって固定している。前記第２接続部６０は、本実施例では表面実装タイプ（ＳＭＴ）にしているが、ディップタイプでも良い。
【００２２】
前記第２レセプタクルコンタクト５５の係合接触部８０は、前記プラグコンタクト２４の凹部３６に入り、かつ、前記凹部３６部分と接触することで電気的に導通させる部分であり、入り易く、かつ、接触し易いように凸部形状にしている。前記第２レセプタクルコンタクト５５の凸部形状部分は抜き加工によって形成されている。前記係合接触部８０の大きさや形状はこのような役割や保持力や加工性や強度等を考慮して適宜設計する。前記係合接触部８０は電気的に導通させてもよいが、係合させるだけで単にロック機構を持たせたものであってもよい。
また、前記係合接触部８０と前記第２固定部５８との間には、嵌合時の安定した接触が得られるように弾性長を確保するために弾性部６２が設けられている。前記弾性部６２はこのような役割を満足するように適宜設計しており、本実施例では１回湾曲させている。
【００２３】
次に前記ハウジング５２について説明する。このハウジング５２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２４】
図５（Ａ）のように、前記ハウジング５２は略箱型形状をしている。前記ハウジング５２には前記ブロック２２の前記係止凹部３４と係合する係合凸部６４が幅方向両側に対向するように配置された前記レセプタクルコンタクト５４間及び前記レセプタクルコンタクト５４及び前記第２レセプタクルコンタクト５５との間に設けられる。両コネクタ２０、５０とが嵌合した際に、前記係止凹部３４の底面と前記係合凸部６４とが突き当たることで嵌合時の位置決めを行なっている。前記係合凸部６４の大きさは、コネクタの小型化や強度やコンタクトの接触安定性等を考慮して適宜設計する。また、前記係合凸部６４の先端には、前記プラグコネクタ２０のブロック２２のサン部の逃げとして逃げ溝が設けられている。
また、前記ハウジング５２には、前記プラグコネクタ２０の前記突出壁３２が入る係合溝６６が設けられている。前記係合溝６６の位置や大きさは、前記プラグコネクタ２０の突出壁３２が入ればよく、コネクタの低背化やハウジング５２の強度等を考慮して適宜設計している。本実施例では前記係合溝６６は低背を考えて、貫通孔にしている。
【００２５】
前記ハウジング５２には、長手方向両側には凸部壁６８が形成されるとともに前記突出壁３２が入る係合溝６６が長手方向両側に設けられている。前記凸部壁６８の高さは前記レセプタクルコンタクト５４及び前記第２レセプタクルコンタクト５５の弾性部上面７０より高くしている。
また、長手方向の前記レセプタクルコンタクト５４間及び前記レセプタクルコンタクト５４と前記第２レセプタクルコンタクト５５との間には前記レセプタクルコンタクト５４及び前記第２レセプタクルコンタクト５５の弾性部上面７０より高い側壁Ａ６９と該側壁Ａ６９に連設すると共に前記レセプタクルコンタクト５４の接触部上面７３及び前記第２レセプタクルコンタクト５５の係合接触部上面８２より高い側壁Ｂ７１とが設けられている。
前記突出壁３２の高さを前記プラグコンタクト２４の上面３８より０．１〜０．３ｍｍ高くし、該凸部壁６８と側壁Ａ６９の高さを前記レセプタクルコンタクト５４及び前記第２レセプタクルコンタクト５５の弾性部上面７０より０．０２〜０．１ｍｍ高くし、前記側壁Ｂ７１の高さを前記レセプタクルコンタクト５４の接触部上面７３及び前記第２レセプタクルコンタクト５５の係合接触部上面８２より０．０２〜０．１ｍｍ高くし、前記係合凸部６４の高さと前記レセプタクルコンタクト５４の接触部上面７３及び前記第２レセプタクルコンタクト５５の係合接触部上面８２の高さとの関係は−０．２〜０．３ｍｍにする。前記係合凸部６４の高さを前記レセプタクルコンタクト５４の接触部上面７３及び前記第２レセプタクルコンタクト５５の係合接触部上面８２の関係は、斜め嵌合防止やコンタクトの変形防止を考えると前記係合凸部６４の方が幾分でも高い方が望ましい。つまり、前記係合凸部６４の高さが前記レセプタクルコンタクト５４の接触部上面７３及び前記第２レセプタクルコンタクト５５の係合接触部上面８２より０ｍｍを超えることである。前記プラグコンタクト２４の上面３８より前記突出壁３２の高さが０．１ｍｍ以下では斜め嵌合を防止することができなく、前記プラグコンタクト２４の上面３８より前記突出壁３２の高さが０．３ｍｍ以上では嵌合時の電気コネクタ１０の低背化に繋がらない。前記レセプタクルコンタクト５４及び前記第２レセプタクルコンタクト５５の弾性部上面７０より該凸部壁６８と側壁Ａ６９の高さが０．０２ｍｍ以下では斜め嵌合を防止やコンタクトの変形防止をすることができなく、前記レセプタクルコンタクト５４及び前記第２レセプタクルコンタクト５５の弾性部上面７０より該凸部壁６８と側壁Ａ６９の高さが０．１ｍｍ以上では嵌合時の電気コネクタ１０の低背化に繋がらない。前記レセプタクルコンタクト５４の接触部上面７３及び前記第２レセプタクルコンタクト５５の係合接触部上面８２より側壁Ｂ７１の高さが０．０２ｍｍ以下では斜め嵌合を防止やコンタクトの変形防止をすることができなく、前記レセプタクルコンタクト５４の接触部上面７３及び前記第２レセプタクルコンタクト５５の係合接触部上面８２より側壁Ｂ７１の高さが０．１ｍｍ以上では嵌合時の電気コネクタ１０の低背化に繋がらない。前記レセプタクルコンタクト５４の接触部上面７３及び前記第２レセプタクルコンタクト５５の係合接触部上面８２より係合凸部６４の高さが−０．２ｍｍ以下では斜め嵌合を防止やコンタクトの変形防止をすることができなく、前記レセプタクルコンタクト５４の接触部上面７３及び前記第２レセプタクルコンタクト５５の係合接触部上面８２より係合凸部６４の高さが０．３ｍｍ以上では嵌合時の電気コネクタ１０の低背化に繋がらない。
また、前記ハウジング５２には前記係合溝６６内の幅方向両側に前記係合部４２と係合する凹部が設けられている。該凹部は前記プラグコネクタ２０と前記レセプタクルコネクタ５０とが嵌合する際に、前記係合部４２が前記凹部内に入ることで、クリック感を持たせるものである。前記凹部の大きさや位置は嵌合時のこのようなクリック感を満足できれば如何なるものであってもよく、クリック感や強度等を考慮して適宜設計している。
【００２６】
最後に、斜め嵌合防止構造について説明する。斜めに嵌合しようとすると、互いのコンタクト同士が接触する前に、前記プラグコネクタ２０の突出壁３２が前記レセプタクルコネクタ５０の前記凸部壁６８や側壁Ａ６９若しくは前記係合凸部６４や側壁Ｂ７１に接する（ぶつかる）ことになり、斜めには嵌合できないようになっている。
【産業上の利用可能性】
【００２７】
本発明の活用例としては、携帯電話等の電気・電子機器に使用されるプラグコネクタ２０とレセプタクルコネクタ５０とを備える電気コネクタ１０に活用され、特にプラグコネクタ２０とレセプタクルコネクタ５０とが互いに嵌合した時に十分なコネクタ同士の抜去力が得られ、斜め嵌合されてもそれぞれのコンタクトが破損することのなく、低背可能な構造に関するものである。
【図面の簡単な説明】
【００２８】
【図１】（Ａ）  嵌合口側からみた本発明のレセプタクルコネクタの斜視図である。（Ｂ）  嵌合側からみた本発明のプラグコネクタの斜視図である。
【図２】（Ａ）  プラグコネクタとレセプタクルコネクタが嵌合した状態のある第２レセプタクルコンタクト部分で断面した断面図である。（Ｂ）  プラグコネクタとレセプタクルコネクタが嵌合した状態のあるレセプタクルコンタクト部分で断面した断面図である。
【図３】（Ａ）  レセプタクルコネクタを、ある第２レセプタクルコンタクト部分で断面した断面図である。（Ｂ）  レセプタクルコネクタを、レセプタクルコンタクト部分で断面した断面図である。（Ｃ）  プラグコネクタを、あるプラグコンタクト部分で断面した断面図である。
【図４】（A）  第２レセプタクルコンタクトの斜視図である。（Ｂ）  レセプタクルコンタクトの斜視図である。（C）  プラグコンタクトの斜視図である。
【図５】（Ａ）  レセプタクルコネクタのハウジングの斜視図である。（Ｂ）  プラグコネクタのブロックの斜視図である。
【符号の説明】
【００２９】
１０          電気コネクタ
１２          嵌合口
２０          プラグコネクタ
２２          ブロック
２４          プラグコンタクト
２６          第１接触部
２８          第１固定部
３０          第１接続部
３２          突出壁
３４          係止凹部
３６          凹部
３８          上面
４０          リブ
４２          係合部
５０          レセプタクルコネクタ
５２          ハウジング
５４          レセプタクルコンタクト
５５          第２レセプタクルコンタクト
５６          第２接触部
５８          第２固定部
６０          第２接続部
６２          弾性部
６４          係合凸部
６６          係合溝
６８          凸部壁
６９          側壁Ａ
７０          弾性部上面
７１          側壁Ｂ
７２          係止部
７３          接触部上面
７４          挿入溝
８０          係合接触部
８２          係合接触部上面
【図１】
0005203029.tif 000002
【図２】
0005203029.tif 000003
【図３】
0005203029.tif 000004
【図４】
0005203029.tif 000005
【図５】
0005203029.tif 000006